(57)【要約】      （修正有）【課題】できれば開梱することなくまたは蓋を外すだけの作業で店頭展示に陳列できるような梱包のできる緩衝包装具。【解決手段】包装具枠３と包装具台４とからなる包装補助具で、可撓に富み透明な弾性プラスチックフイルムを包装具の方形窓に貼った物で被包装品を後部に索引するよう支持しながら被包装品の前面を提示できる姿勢を保持できるようにし、そのまま梱包容器２に収め、簡単に除去できる蓋も装着できる包装補助具。【選択図】図２
0003102277.tif 000002
【実用新案登録請求の範囲】
【請求項１】
被包装品１の両側面を折りたたんで箱状の衝立を成す段ボール壁の外側枠３３・内側枠３５に、同じく後側を背板４３・背前板４５により包み、被包装品１の前側を方形窓３１に上下辺のみを接着した透明で可撓性に富む弾性プラスチックフィルム５によって押さえ込み、窓下枠３８とそれを補強する窓下枠接合部４１で前部分を上に向けて立ち上げ背板４３に繋がる底の台板４２で、台板４２と被包装品１の前部分が上向きになる傾斜姿勢をとるよう強制するように囲い込み、この姿勢を梱包容器２内で保持できるよう包装補助具の下部では前裾枠３９を梱包容器２の前横折返し２４で挿み止め上部ではやや後部に向けて傾斜している方形窓３１の上端に位置する上補強枠３７の前縁となる窓上折り線３７Ｌを梱包容器２の天井外殻ｂｔで前側への移動を止めることを特徴とする包装補助具。
【考案の詳細な説明】
【技術分野】
【０００１】
本考案は、できれば開梱することなくまたは蓋を外すだけの作業で店頭展示に陳列できる梱包のための緩衝包装補助具に関する。
【背景技術】
【０００２】
音響機器・ビジュアル機器や情報機器など比較的比重の大きい中型個装商品ものを可能なら開梱することなく店頭展示にも使えるようにとの販売店の要望に応えるための緩衝包装を本考案は目指しており、特許電子図書館の特許実用検索の公報テキスト検索で、発明の名称に「包装」要約に「展示」をキーワードとして公開特許公報を検索したところ１２９件がリストアップされた。前記の機器梱包に適用できそうなものは次の４件であった。
【０００３】
【特許文献１】特表平１１−５１２６８８公報  これは一言で表現すると引き出し式段ボール箱であって、本考案の目的に転用すると展示面積が商品単体の設置面積の３倍以上を必要とし、店頭展示には向かない。
【０００４】
【特許文献２】特開２００１−１７１６５４公報  これは前後に両開きする箱の全部を前に倒し、内部の包装品を取り出し、傾斜配置展示できるものの、平形の情報計算機機やファクシミリーなどに向いているように感じるも、可能なら商品を取り出さなくとも提示できるようになれば実用的だと思われる。
【０００５】
【特許文献３】特開２００２−２６８４公報  これは梱包容器の上部と前面を含む胴部外壁を切除して展示するため、包装された商品も前面と上面を提示でき、上面にＣＤたＤＶＤなどの装入用蓋を有するＡＶ機器には最適であるが、持ち帰り時に切除した外壁をいかに復旧するかの方策が示されていないのでこのまま転用できない。
【０００６】
【特許文献４】特開２００３−１３７２７３公報  これは当考案と同目的であるものの、巻き込み状外被を開くため、店頭設置時には梱包時自体の前後に同面積を要し、店頭設置時に嫌われる可能性が大きいし、積み重ね店頭設置にも使えない。
【０００７】
他の検索された文献は食品とか小物生活用品向きであって、持ったとき重い手応えを感じる個装商品には向かないものが多かった。
【考案の開示】
【考案が解決しようとする課題】
【０００８】
本考案の課題「比較的比重の大きい中型個装商品ものを開梱することなく店頭展示にも使えるようにとの販売店の要望に応えるための緩衝包装」は次の８項の条件を同時に充足することで解決すると判断できる。
【０００９】
１）比重の高い個装商品を緩衝包装できること。
２）蓋を外すだけで被包装物が見えるか、できるなら梱包したままで荷姿を確認できることが望ましい。
３）被包装商品の機能を多く提示できる面を見える開封面または蓋設置面に向けた姿勢で包装できること。
４）店頭展示時の設置面積が梱包時より広がらないこと。
５）店頭展示のための開梱操作や準備が複雑でないこと。
６）店頭展示のさい積み重ね可能なこと。
７）店頭展示のさい廃棄物が皆無ないし極少であること。
８）商品購入客が持ち帰る際、開梱展示してあるもを開梱前の状態へ手早く容易に復帰できること。
【課題を解決するための手段】
【００１０】
上の諸条件を解決できたとすれば、図１：梱包外観図のようになるものと思われる。この図は（Ａ）梱包時の外観図は、蓋を外したときに、（Ｂ）店頭展示時の外観図に示した状態になる事を示している。これは上記の２）項の前半を図１全体で例示したものである。
【００１１】
図１は蓋の有無による２梱包状態を例示した図である。これは上記の２）項の後半である「梱包したままで荷姿を確認できる」ことを図１の（Ｂ）店頭展示時の外観図の蓋を除いた範囲のものが例示している。これに付いては、後述［００００］段の記述で触れる。
【００１２】
この図１の内部構成を、被包装品１を除いて示したのが図２：梱包構成図であって、本考案の意図はこの構成、即ち、包装具枠３と包装具台４が一つとなって形成する立方体の空白部分Ｑ内に被包装品１を装入したまま、仮想線矢印Ｃすなわち包装具枠と包装具台の梱包容器への挿入方向である梱包容器２内に挿入することを示している。
【００１３】
図２の一番手前に梱包容器２の蓋２１が図示されているが、［００３５］段に後述するようにこれは有っても良いが無くとも済む部品なので、とりあえず蓋２１を併用するときのものとして図示して置いた。
【考案の効果】
【００１４】
図２で示した構成は［０００９］段に挙げた８条件をすべて充足できる解決例である。この詳細は下段の記述内で個々に説明する。
【考案を実施するための最良の形態】
【００１５】
本考案では、被包装物１を包容できる空間に近い立方体の空白部分Ｑを包装具枠３と包装具台４とでなる包装補助具で構成し、その全体を梱包容器２に納めるという常識的に見える。この考案の特徴は包装具枠３にあり、梱包容器２と包装具台４は通常のものである。本考案をなす構成品について、梱包容器２・包装具枠３・包装具台４の順で説明し、この組み合わせが生むメリットを以下に説明する。
【実施例１】
【００１６】
梱包容器２を図３：梱包容器例の説明図で見るが、見出しに梱包容器例と有るように一事例であって、重要なことは横前面が蓋をできる容器であれば良いので、これによって、［０００９］段に挙げた２）３）４）５）６）７）８）の７項目の充足にかなりの程度は役立つからである。
【００１７】
図３の上段に梱包容器２の主体を成す容器殻２０板段ボール材の展開図を示し、下段左に蓋２１の板段ボール材の展開図を配し、その二つの組み立て状態の斜視図を下段右側に示す。
【００１８】
図３上段の段ボール材の展開図に示すように、容器殻２０は４本の殻折り線２７を有し右端の殻閉じ耳２６を長手方向反対端部に接合させて四角な外殻を形成し、外殻幅方向前部には前折返し線２８を介して前縦折返し２２と前横折返し２４を角２辺ずつ持ち、反対側に後折返し線２９を経て後縦盲板２３と後横盲板２５を二辺ずつ配し、組み立てると斜視図に示した容器殻２０を成す。
【００１９】
Πまたはコの字切り抜き２１２を方形の四隅に配した蓋２１は、コの字切り抜き２１２を折り曲げ起こした立折り２１３部部の先端をさらに折り曲げて引掛２１４と成す。これにより蓋２１を梱包容器２の開口部に押しつけるとき、図６：梱包断面図の上・下に示した平面視・右側面視図の各左端に離して配置した蓋２１の右側の引掛２１４が梱包容器２の前面に当たる左側の前縦折返し２２に系合できる事が理解できよう。これが［０００９］段に挙げた８）商品購入客が持ち帰る際、開梱展示してあるもを開梱前の状態へ手早く容易に復帰できることの説明となる。
【００２０】
また、この蓋２１を外すのには、コの字切り抜き２１２を折り曲げ起こしたあとの角穴４ヶのうち任意の２ヶに指をかけて引くだけで済むので、［０００９］段に挙げた５）店頭展示のための開梱操作や準備が複雑でないことが達成できる。
【００２１】
図４：包装具枠の説明図は、左側に段ボール材の展開図を示し、右側には組み立てた状態を斜視図で示した。なお、この図でも他の図でも折り曲げ線は２種類の破線で表現している。長破線は図面の裏側に折り曲げる事を示し、破線は図面の表側に折り曲げることを意味している。
【００２２】
包装具枠３を形成する段ボール板材の長手方向の中心に、長手方向に横幅Ｗ３寸法この直角方向に縦幅Ｈ３サイズの方形窓３１を設け、両側の長手方向サイドに中心から端に向けて窓枠３２・外側枠折り線３２Ｌ・外側枠３３・後側枠折り線３３Ｌ・後側枠３４・内側枠折り線３４Ｌ・内側枠３５・前側枠折り線３５Ｌ・前側枠３６部分とする。そして中心の方形窓３１の上に窓上折り線３７Ｌ・上補強枠３７を配し、方形窓３１の下部に窓下折り線３８Ｌ・窓下枠３８・前裾折り線３９Ｌ・前裾枠３９と設けているが窓下枠３８の両側に窓下切り込み３８Ｓが設定されている。
【００２３】
また、この方形窓３１より一回り大きくこの窓穴をカバーできる細線で示された透明な長方形の弾性プラスチックフィルム５が方形窓３１を覆いその上下端の２方向のみを図４の左側の図に縦長ハッチングで示した弾性プラスチックフィルムの包装具との接合部分５１で接合し、方形窓３１の左右両側は接合していない。この点が、在来の弾性プラスチックフィルムによる宙づり緩衝方式と異なる特徴である。
【００２４】
これを方形窓３１に近い折り線から順に、外側枠折り線３２Ｌ・後側枠折り線３３Ｌ・内側枠折り線３４Ｌ・前側枠折り線３５Ｌ・窓上折り線３７Ｌと内側すなわち図面の表側に折り込み、最後に前裾折り線３９Ｌを図面の裏側に折り前裾枠３９を突き出させると、図４の右側に示した、包装具枠３を梱包状態時の裏側から見た斜視図のようになる。
【００２５】
これで包装具枠３が形成できる二つの外側枠３と窓枠３２に貼られた弾性プラスチックフィルム５からなるスペースのサイズは、「空白部分の幅Ｗ３×空白部分の高さＨ３×空白部分の奥行きＤ３」と表現できる。これが［００２９］段で後述する立方体の空白部分Ｑに相当する。この包装具枠３を梱包状態時の裏側から見た斜視図の右側に窓下枠３８裏面に示しているクロスハッチング部分３Ｂと矢印Ｂについては次段で記述する。
【００２６】
以上で形成される包装具枠３は、このままでは機能しない。図５：包装具台の説明図の下段に示した斜視図に図示した窓下枠接合部４１の梱包時の表側である包装具枠の３Ｂ部分との接合面４Ｂを、この包装具枠３を梱包状態時の裏側から見た斜視図の右側に窓下枠３８裏面に示しているクロスハッチング部分３Ｂに糊付けやステプラーなどで接合して始めて、図２の包装具枠３＋包装具台４からなる包装補助具として機能できる。
【００２７】
このための包装具台４について図５：包装具台の説明図の上段の段ボール板材展開図で説明する。この展開図左端の窓下枠接合部４１から右側に向かって、台板折り線４１Ｌ・二つの差し込み穴４８を持つ台板４２・背板折り線４２Ｌ・背板４３・肩枠折り線４３Ｌ・肩枠４４・背前板折り線４４Ｌ・背前板４５・差し込み４７と続き、二つの差し込み４７は中間にケーブル通し凹切り欠き４６を挿んでいる。
【００２８】
これを折り線ごとに図面手前側に折り込み、台板４２の差し込み穴４８に差し込み４７を挿入してなる形状が、下段の斜視図であり、これは梱包状態では裏側から眺めた斜視図となり、図４：包装具枠の説明図左側の梱包状態時の裏側から見たの包装具枠３の斜視図と同じ方向に図示してある。図４の斜視図３B面に図５の４B面を矢印Ｂ方向に接着または接合させて、包装具枠３と包装具台４が一体になって包装補助具となる。
【００２９】
包装具枠３と包装具台４を一体にしたのは、図３：梱包容器例の説明図の中央に表示した包装補助具中央に立方体の空白部分Ｑを作成するためである。この立方体の空白部分Ｑのサイズについて［００２５］段で触れているが、この空白部分の機能については図６：梱包断面図の方が理解しやすい。図６は、図１（Ｂ）の梱包外観図における天井外殻ｂｔを外した平面視を上段の左に蓋２１、右に梱包された梱包容器２を示した。下段には梱包外観図における右側外殻ｂｓを外して見た側面視を左に蓋２１、右に梱包された梱包容器２と並べた。
【００３０】
この図６で、被包装品幅Ｗは図４における空白部分の幅Ｗ３に等しくこれはそのまま包装具枠３の方形窓３１の窓横幅であり、方形窓３１の窓縦高さＨ３は被包装品高さＨより大きく、空白部分Ｑの奥行きＤ３が被包装品奥行きＤとほぼ等しいかより小さいかと観ることができる。そして、この包装補助具に依る梱包は被包装品１の両側面を折りたたんで箱状の衝立を成す段ボールの壁となる外側枠３３・内側枠３５に、同じく後側を背板４３・背前板４５により包み、残る前側を方形窓３１に貼った弾性プラスチックフィルム５によって押さえ込む形で行っている。
【００３１】
この囲い込みは、窓下枠３８とそれを補強する窓下枠接合部４１で前部分を上に向けて立ち上げ背板４３に繋がる底の台板４２のため、台板４２と被包装品１の前部分が上向きになる傾斜姿勢をとるよう強制している。この姿勢のさい被包装品奥行きＤが外側枠３３のなす奥行き代Ｄ３が傾斜により縮小するため、図６下部に示すように方形窓３１よりサイズｄだけ突き出すことになる。これはサイズｄだけ突き出すための弾性プラスチックフィルム５の変形弾力によって被包装品１を後部に押さえ込んでいる事になる。
【００３２】
この姿勢を梱包容器２内で保持できるよう、被包装品１を包み込む包装補助具の下部では前裾枠３９を梱包容器２の前横折返し２４で挿み止め、上部ではやや後部に向けて傾斜している方形窓３１の上端に位置する上補強枠３７の前縁となる窓上折り線３７Ｌを梱包容器２の天井外殻ｂｔで前側への移動を止めている。この梱包容器２内における被包装品１の姿勢保持が弾性プラスチックフィルム５の弾性による緩衝包装を実現し、［０００９］段に挙げた１）比重の高い個装商品を緩衝包装できることを達成している。また、この姿勢保持は［０００９］段に挙げた２）蓋を外すだけで被包装物が見えるか、できるなら梱包したままで荷姿を確認できることが望ましいと、３）被包装商品の機能を多く提示できる面を見える開封面または蓋設置面に向けた姿勢で包装できることも理解できよう。
【００３３】
なお、この緩衝包装を為すための条件をここで確認すると下記４項となる。
（１）被包装品１の幅Ｗ＝方形窓３１の横幅Ｗ３＝包装具台４の横幅＜梱包容器２の内法幅Ｗ２
（２）被包装品１の高さＨ＜方形窓３１の縦幅Ｈ３＜梱包容器２の内法高さＨ２
（３）被包装品１の奥行きＤ＝＜内側枠３５サイズＤ３＜梱包容器２の内法奥行きＤ２。
（４）被包装品１の方形窓からの突き出し代ｄ＝被包装品１の奥行きＤ×（０．１±０．６）、これは弾性プラスチックフィルム５の膜厚・有効膜幅Ｈ３・弾力と被包装品１の前面単位面積当たり重量と許容衝撃上限設定により変わる。
【００３４】
以上に述べたように構成した本考案では、［０００９］にあげた４）店頭展示時の設置面積が梱包時より広がらないことと、６）店頭展示のさい積み重ね可能なことも当然となり、７）店頭展示のさい廃棄物が皆無ないし極少であることについては説明を要しないと思われる。
【００３５】
前述［００１３］段で「包容器２の蓋２１は有っても良いが無くとも済む部品」と記述したが、この蓋は運送中の異物の突き当たりによる被包装品１の破壊を防止するのが主目的であり、現在のように運送品質が高い社会環境では必至であるとは言えない。たとえば、この蓋２１を併用しないとき、図１（Ｂ）の上段の姿、すなわち、図６の右側に示した梱包姿勢のまま、この梱包の側面全周を透明なストレッチフイルムで巻いておくだけでも十分で有ると思惟できる。これにより、開梱作業無しに店頭陳列に使用でき、さらに、購入客が手持ちで持ち帰れるような取っ手を梱包容器２の天井外殻ｂｔに装着しておくことにより移動広告になりうる可能性もできよう。
【産業上の利用可能性】
【００３６】
できれば開梱することなくまたは蓋を外すだけの作業で店頭展示に陳列できるようにとの販売店の要望に応えるための緩衝包装として十分機能する。
【図面の簡単な説明】
【００３７】
【図１】梱包外観図        （Ａ）梱包時の外観図        （Ｂ）店頭展示時の外観図
【図２】梱包構成図
【図３】梱包容器例の説明図
【図４】包装具枠の説明図
【図５】包装具台の説明図
【図６】梱包断面図
【符号の説明】
【００３８】
１      被包装品
２      梱包容器
２０    容器殻
２１    容器蓋
２１２  コの字切り抜き
２１３  立折り
２１４  引掛
２２    前縦折返し
２３    後縦盲板
２４    前横折返し
２５    後横盲板
２６    殻閉じ耳
２７    殻折り線
２８    前折返し線
２９    後折返し線
３      包装具枠
３１    方形窓
３２    窓枠
３２Ｌ  外側枠折り線
３３    外側枠
３３Ｌ  後側枠折り線
３４    後側枠
３４Ｌ  内側枠折り線
３５    内側枠
３５Ｌ  前側枠折り線
３６    前側枠
３７    上補強枠
３７Ｌ  窓上折り線
３８    窓下枠
３８Ｌ  窓下折り線
３８Ｓ  窓下切り込み
３９    前裾枠
３９Ｌ  前裾折り線
３Ｂ    包装具台の４Ｂ部分との接合面
４      包装具台
４１    窓下枠接合部
４１Ｌ  台板折り線
４２    台板
４２Ｌ  背板折り線
４３    背板
４３Ｌ  肩枠折り線
４４    肩枠
４４Ｌ  背前板折り線
４５    背前板
４６    ケーブル通し凹切り欠き
４７    差し込み
４８    差し込み穴
４Ｂ    包装具枠の３Ｂ部分との接合面
５      弾性プラスチックフィルム
５１    弾性プラスチックフィルムの包装具との接合部分
ｂｓ    梱包外観図における右側外殻
ｂｔ    梱包外観図における天井外殻
Ｂ      包装具枠と包装具台との接合方向
Ｃ      包装具枠と包装具台の梱包容器への挿入方向
ｄ      被包装品の方形窓からの突き出し代
Ｄ      被包装品奥行き
Ｄ２    梱包容器の内法奥行き
Ｄ３    空白部分の奥行き
Ｈ      被包装品高さ
Ｈ２    梱包容器の内法高さ
Ｈ３    空白部分の高さ
Ｑ      立方体の空白部分
Ｗ      被包装品幅
Ｗ２    梱包容器の内法幅
Ｗ３    空白部分の幅
【図１】
0003102277.tif 000003
【図２】
0003102277.tif 000004
【図３】
0003102277.tif 000005
【図４】
0003102277.tif 000006
【図５】
0003102277.tif 000007
【図６】
0003102277.tif 000008